【手続補正書】
【提出日】平成23年12月20日(2011.12.20)
【手続補正１】
【補正対象書類名】明細書
【補正対象項目名】発明の名称
【補正方法】変更
【補正の内容】
【発明の名称】釣銭補充管理システムおよび棒金収納庫
【手続補正２】
【補正対象書類名】明細書
【補正対象項目名】０００１
【補正方法】変更
【補正の内容】
【０００１】
本発明は、本発明は、棒金硬貨（同一金種の硬貨を一定枚数だけ棒状にまとめて包装したもの）を金種別に特定の収納部に収納して棒金硬貨の在高を管理し得るようにした釣銭補充管理システムおよび棒金収納庫に関する。
【手続補正３】
【補正対象書類名】明細書
【補正対象項目名】０００５
【補正方法】変更
【補正の内容】
【０００５】
本発明は、このような点を考慮してなされたものであり、操作者が速やかに誤収納に気付くと共に、即座にリトライを行うことのできる棒金収納庫を提供すること、並びに、誤判定による在高異常の発生を防止することのできる釣銭補充管理システムおよび棒金収納庫を提供することを目的とする。
【手続補正４】
【補正対象書類名】明細書
【補正対象項目名】０００６
【補正方法】変更
【補正の内容】
【０００６】
本発明は、受け入れた硬貨を識別して金種別に収納し、必要に応じて釣銭として投出するとともに、釣銭として補充される棒金硬貨を収納して管理する釣銭補充管理システムであって、硬貨を受け入れて識別し、金種別に硬貨収納部に収納する硬貨受入手段と、前記硬貨収納部に収納された硬貨を外部に払い出す硬貨払出手段と、本体に対して、少なくとも閉鎖位置と引出位置との間で引出し自在に取り付けられ、棒金硬貨をそれぞれ１本ずつ収納するための複数の棒金収納部が設けられた棒金ドロアと、前記棒金ドロアの各棒金収納部ごとに棒金硬貨の有無および金種を検出する検出手段と、前記検出手段による検出結果に基づいて、棒金硬貨の在高を管理する在高管理手段と、を備えたことを特徴とする、釣銭補充管理システムである。
また、本発明は、受け入れた硬貨を識別して金種別に収納し、必要に応じて釣銭として投出するとともに、釣銭として補充される棒金硬貨を収納して管理する釣銭補充管理システムであって、硬貨を受け入れて識別し、金種別に硬貨収納部に収納する硬貨受入手段と、前記硬貨収納部に収納された硬貨を外部に払い出す硬貨払出手段と、本体に対して、少なくとも閉鎖位置と引出位置との間で引出し自在に取り付けられ、棒金硬貨をそれぞれ１本ずつ収納するための複数の棒金収納部が設けられた棒金ドロアと、前記棒金ドロアの各棒金収納部ごとに棒金硬貨の有無を検出する検出手段と、前記検出手段による検出結果に基づいて、棒金硬貨の在高を管理する在高管理手段と、を備えたことを特徴とする、釣銭補充管理システムであってもよい。
本発明による釣銭補充管理システムによれば、複数の棒金収納部が設けられた棒金ドロアが、本体に対して引出し可能に取り付けられていることにより、棒金ドロアが引出位置にあるときには当該棒金ドロアの上面が解放されるので棒金硬貨の出し入れが容易となり、また、棒金ドロアの各棒金収納部には棒金硬貨が１本ずつ収納されるので在庫管理を行いやすくなる。
【手続補正５】
【補正対象書類名】明細書
【補正対象項目名】０００７
【補正方法】変更
【補正の内容】
【０００７】
本発明の釣銭補充管理システムにおいては、前記検出手段による検出結果に基づいて、前記棒金ドロアに収納される棒金硬貨の収納状態を表示する表示手段を更に備えていてもよい。
【手続補正６】
【補正対象書類名】明細書
【補正対象項目名】０００８
【補正方法】変更
【補正の内容】
【０００８】
本発明の釣銭補充管理システムにおいては、前記在高管理手段は、前記棒金ドロアが前記引出位置から前記閉鎖位置へ押し込まれると、棒金硬貨の在高を検出するようになっていてもよい。
【手続補正７】
【補正対象書類名】明細書
【補正対象項目名】０００９
【補正方法】変更
【補正の内容】
【０００９】
本発明の釣銭補充管理システムにおいては、前記棒金ドロアが前記閉鎖位置にあることを検知する閉鎖検知手段と、前記棒金ドロアを前記閉鎖位置において引出し不能にロックするロック手段と、を更に備えていてもよい。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】変更
【補正の内容】
【００１１】
本発明は、棒金硬貨を収納する棒金収納庫であって、本体に対して、少なくとも閉鎖位置と引出位置との間で引出し自在に取り付けられ、棒金硬貨をそれぞれ１本ずつ収納するための複数の棒金収納部が設けられた棒金ドロアと、前記棒金ドロアの各棒金収納部ごとに棒金硬貨の有無および金種を検出する検出手段と、前記検出手段による検出結果に基づいて、棒金硬貨の在高を管理する在高管理手段と、を備えたことを特徴とする、棒金収納庫である。
また、本発明は、棒金硬貨を収納する棒金収納庫であって、本体に対して、少なくとも閉鎖位置と引出位置との間で引出し自在に取り付けられ、棒金硬貨をそれぞれ１本ずつ収納するための複数の棒金収納部が設けられた棒金ドロアと、前記棒金ドロアの各棒金収納部ごとに棒金硬貨の有無を検出する検出手段と、前記検出手段による検出結果に基づいて、棒金硬貨の在高を管理する在高管理手段と、を備えていてもよい。
本発明による棒金収納庫によれば、複数の棒金収納部が設けられた棒金ドロアが、本体に対して引出し可能に取り付けられていることにより、棒金ドロアが引出位置にあるときには当該棒金ドロアの上面が解放されるので棒金硬貨の出し入れが容易となり、また、棒金ドロアの各棒金収納部には棒金硬貨が１本ずつ収納されるので在庫管理を行いやすくなる。
【手続補正１０】
【補正対象書類名】明細書
【補正対象項目名】００１２
【補正方法】変更
【補正の内容】
【００１２】
本発明の棒金収納庫においては、前記検出手段による検出結果に基づいて、前記棒金ドロアに収納される棒金硬貨の収納状態を表示する表示手段を更に備えていてもよい。
また、本発明の棒金収納庫においては、前記在高管理手段は、前記棒金ドロアが前記引出位置から前記閉鎖位置へ押し込まれると、棒金硬貨の在高を検出するようになっていてもよい。
また、本発明の棒金収納庫においては、前記棒金ドロアが前記閉鎖位置にあることを検知する閉鎖検知手段と、前記棒金ドロアを前記閉鎖位置において引出し不能にロックするロック手段と、を更に備えていてもよい。
また、本発明の棒金収納庫においては、前記検出手段による検出結果に基づく情報を外部装置へ送信する送信手段を更に備えていてもよい。
【手続補正１１】
【補正対象書類名】特許請求の範囲
【補正対象項目名】全文
【補正方法】変更
【補正の内容】
【特許請求の範囲】
【請求項１】
受け入れた硬貨を識別して金種別に収納し、必要に応じて釣銭として投出するとともに、釣銭として補充される棒金硬貨を収納して管理する釣銭補充管理システムであって、
硬貨を受け入れて識別し、金種別に硬貨収納部に収納する硬貨受入手段と、
前記硬貨収納部に収納された硬貨を外部に払い出す硬貨払出手段と、
本体に対して、少なくとも閉鎖位置と引出位置との間で引出し自在に取り付けられ、棒金硬貨をそれぞれ１本ずつ収納するための複数の棒金収納部が設けられた棒金ドロアと、
前記棒金ドロアの各棒金収納部ごとに棒金硬貨の有無および金種を検出する検出手段と、
前記検出手段による検出結果に基づいて、棒金硬貨の在高を管理する在高管理手段と、
を備えたことを特徴とする、釣銭補充管理システム。
【請求項２】
受け入れた硬貨を識別して金種別に収納し、必要に応じて釣銭として投出するとともに、釣銭として補充される棒金硬貨を収納して管理する釣銭補充管理システムであって、
硬貨を受け入れて識別し、金種別に硬貨収納部に収納する硬貨受入手段と、
前記硬貨収納部に収納された硬貨を外部に払い出す硬貨払出手段と、
本体に対して、少なくとも閉鎖位置と引出位置との間で引出し自在に取り付けられ、棒金硬貨をそれぞれ１本ずつ収納するための複数の棒金収納部が設けられた棒金ドロアと、
前記棒金ドロアの各棒金収納部ごとに棒金硬貨の有無を検出する検出手段と、
前記検出手段による検出結果に基づいて、棒金硬貨の在高を管理する在高管理手段と、
を備えたことを特徴とする、釣銭補充管理システム。
【請求項３】
前記検出手段による検出結果に基づいて、前記棒金ドロアに収納される棒金硬貨の収納状態を表示する表示手段を更に備えたことを特徴とする、請求項１または２記載の釣銭補充管理システム。
【請求項４】
前記在高管理手段は、前記棒金ドロアが前記引出位置から前記閉鎖位置へ押し込まれると、棒金硬貨の在高を検出することを特徴とする、請求項１乃至３のいずれか一項に記載の釣銭補充管理システム。
【請求項５】
前記棒金ドロアが前記閉鎖位置にあることを検知する閉鎖検知手段と、
前記棒金ドロアを前記閉鎖位置において引出し不能にロックするロック手段と、
を更に備えたことを特徴とする、請求項１乃至４のいずれか一項に記載の釣銭補充管理システム。
【請求項６】
棒金硬貨を収納する棒金収納庫であって、
本体に対して、少なくとも閉鎖位置と引出位置との間で引出し自在に取り付けられ、棒金硬貨をそれぞれ１本ずつ収納するための複数の棒金収納部が設けられた棒金ドロアと、
前記棒金ドロアの各棒金収納部ごとに棒金硬貨の有無および金種を検出する検出手段と、
前記検出手段による検出結果に基づいて、棒金硬貨の在高を管理する在高管理手段と、
を備えたことを特徴とする、棒金収納庫。
【請求項７】
棒金硬貨を収納する棒金収納庫であって、
本体に対して、少なくとも閉鎖位置と引出位置との間で引出し自在に取り付けられ、棒金硬貨をそれぞれ１本ずつ収納するための複数の棒金収納部が設けられた棒金ドロアと、
前記棒金ドロアの各棒金収納部ごとに棒金硬貨の有無を検出する検出手段と、
前記検出手段による検出結果に基づいて、棒金硬貨の在高を管理する在高管理手段と、
を備えたことを特徴とする、棒金収納庫。
【請求項８】
前記検出手段による検出結果に基づいて、前記棒金ドロアに収納される棒金硬貨の収納状態を表示する表示手段を更に備えたことを特徴とする、請求項６または７記載の棒金収納庫。
【請求項９】
前記在高管理手段は、前記棒金ドロアが前記引出位置から前記閉鎖位置へ押し込まれると、棒金硬貨の在高を検出することを特徴とする、請求項６乃至８のいずれか一項に記載の棒金収納庫。
【請求項１０】
前記棒金ドロアが前記閉鎖位置にあることを検知する閉鎖検知手段と、
前記棒金ドロアを前記閉鎖位置において引出し不能にロックするロック手段と、
を更に備えたことを特徴とする、請求項６乃至９のいずれか一項に記載の棒金収納庫。
【請求項１１】
前記検出手段による検出結果に基づく情報を外部装置へ送信する送信手段を更に備えたことを特徴とする、請求項６乃至１０のいずれか一項に記載の棒金収納庫。